(57)【要約】【課題】手等によってカメラが覆い隠されたような場合に、警告動作や通常の撮像動作とは異なる別途動作を実行することにより、防犯性の更なる向上を図ったインターホン装置を提供する。【解決手段】インターホン親機３にカメラ４が撮像した映像の明度を測定するための明度測定部２１を設け、カメラ４が手によって覆われる等した事態を、映像の明度が所定の閾値以下となったことをもって検知可能としており、当該事態を検知した場合には、インターホン子機２のスピーカ６を介して「カメラの前に物を置かないでください」等の警告メッセージを報音するようにした。【選択図】図２
2009239707.tif 000002
【特許請求の範囲】
【請求項１】
来訪者が居住者を呼び出すための呼出手段を備えているとともに、前記呼出手段が操作された際に所定時間にわたって撮像動作するカメラを備えてなるインターホン子機と、前記インターホン子機と通話可能に接続され、前記カメラが撮像した映像を表示する表示部を備えたインターホン親機とからなるインターホン装置であって、
前記インターホン子機に、前記来訪者への警告を行う警告手段を設けるとともに、
前記インターホン子機又は前記インターホン親機に、前記映像の明度を測定する明度測定部と、前記映像の明度が所定の閾値以下である場合に前記警告手段を動作させる制御部とを設けたことを特徴とするインターホン装置。
【請求項２】
前記インターホン子機に警告メッセージを記憶した記憶部を設けるとともに、前記警告手段がスピーカであって、前記映像の明度が所定の閾値以下である場合、前記制御部は、前記記憶部から前記警告メッセージを読み出し、当該警告メッセージを前記スピーカから報音させることを特徴とする請求項１に記載のインターホン装置。
【請求項３】
来訪者が居住者を呼び出すための呼出手段を備えているとともに、前記呼出手段が操作された際に所定時間にわたって撮像動作するカメラを備えてなるインターホン子機と、前記インターホン子機と通話可能に接続され、前記カメラが撮像した映像を表示する表示部、及び前記映像を録画する録画部を備えたインターホン親機とからなるインターホン装置であって、
前記インターホン子機又は前記インターホン親機に、前記映像の明度を測定する明度測定部と、前記所定時間の撮像動作中に前記映像の明度が所定の閾値以下になると、前記映像の明度が前記閾値を再び超えてから特定時間が経過するまで前記カメラによる撮像動作を継続させるとともに、当該特定時間の映像を前記録画部に録画する制御部とを設けたことを特徴とするインターホン装置。
【請求項４】
来訪者が居住者を呼び出すための呼出手段を備えているとともに、常時周囲を撮像するカメラを備えてなるインターホン子機と、前記インターホン子機と通話可能に接続され、前記カメラが撮像した映像を表示する表示部を備えたインターホン親機とからなるインターホン装置であって、
前記インターホン親機に、前記映像を所定時間にわたって一時記憶する一時記憶部と、前記映像を録画する録画部とを設けるとともに、
前記インターホン子機又は前記インターホン親機に、前記映像の明度を測定する明度測定部と、前記映像の明度が所定の閾値以下になると、明度が所定の閾値以下になるまでの前記一時記憶部に記憶されている映像を前記録画部へ録画する制御部とを設けたことを特徴とするインターホン装置。
【請求項５】
前記インターホン子機における前記呼出手段の操作をうけて、前記明度測定部が前記映像の明度を測定し、前記制御部が測定された前記明度と前記閾値との比較を行うことを特徴とする請求項４に記載のインターホン装置。
【請求項６】
前記カメラが超広角撮像可能なレンズを有しているとともに、前記インターホン親機に、前記映像に対する電子ズーム・電子パンチルト制御を実行する映像制御手段が設けられたインターホン装置であって、
前記明度測定部は、前記電子ズーム・電子パンチルト制御が実行された場合であっても前記カメラが撮像した映像全体の明度を測定するとともに、前記制御部は、当該映像全体の明度にもとづいて動作することを特徴とする請求項１〜５のいずれかに記載のインターホン装置。
【請求項７】
前記インターホン親機が、前記呼出手段の操作をうけて当該操作を報知する報知手段を有し、前記呼出手段が操作された際、前記映像の明度が前記閾値以上である場合にのみ前記報知手段を動作させることを特徴とする請求項１〜６のいずれかに記載のインターホン装置。
【発明の詳細な説明】
【技術分野】
【０００１】
本発明は、カメラを有するインターホン子機とインターホン親機とを通話可能に接続してなるインターホン装置に関し、特に、カメラが覆い隠されたような場合に通常動作とは異なる別途動作を実行するインターホン装置に関するものである。
【背景技術】
【０００２】
従来、インターホン子機とインターホン親機とを通話可能に接続したインターホン装置においては、防犯性の向上を図るべく、インターホン子機に周囲を撮像可能なカメラを設けるとともに、インターホン親機にカメラが撮像した映像を表示可能なモニターを設けてなるものが考案されている（たとえば、特許文献１）。また、防犯性を更に向上すべく、インターホン親機において、インターホン子機における呼出操作を検知すると当該検知から一定時間（たとえば１０秒間）の映像をメモリに記憶するように構成したものも考案されている。
【０００３】
【特許文献１】特開平７−３８８８４号公報
【発明の開示】
【発明が解決しようとする課題】
【０００４】
しかしながら、上記従来のインターホン装置では、不審者が居住者の在／不在を確かめるべくインターホン子機を呼出操作する際に、手等によってカメラが覆い隠されてしまうと、不審者を撮像できない、不審者が映り込んだ映像を録画できない等といった問題が起こっている。
【０００５】
そこで、本発明は、上記問題に鑑みなされたものであって、手等によってカメラが覆い隠されたような場合に、警告動作や通常の撮像動作とは異なる別途動作を実行することにより、防犯性の更なる向上を図ったインターホン装置を提供しようとするものである。
【課題を解決するための手段】
【０００６】
上記目的を達成するために、本発明のうち請求項１に記載の発明は、来訪者が居住者を呼び出すための呼出手段を備えているとともに、呼出手段が操作された際に所定時間にわたって撮像動作するカメラを備えてなるインターホン子機と、インターホン子機と通話可能に接続され、カメラが撮像した映像を表示する表示部を備えたインターホン親機とからなるインターホン装置であって、インターホン子機に、来訪者への警告を行う警告手段を設けるとともに、インターホン子機又はインターホン親機に、映像の明度を測定する明度測定部と、映像の明度が所定の閾値以下である場合に警告手段を動作させる制御部とを設けたことを特徴とする。
上記構成によれば、インターホン子機又はインターホン親機に、映像の明度を測定する明度測定部と、映像の明度が所定の閾値以下である場合に警告手段を動作させる制御部とを設けているため、たとえば不審者がカメラを手で覆った状態で呼出手段を操作した場合等に、当該事態を映像の明度によって検知するとともに、その事態に対して警告手段による警告を行うことができ、ひいてはインターホン装置の防犯性を向上することができる。
【０００７】
請求項２に記載の発明は、請求項１に記載の発明において、インターホン子機に警告メッセージを記憶した記憶部を設けるとともに、警告手段がスピーカであって、映像の明度が所定の閾値以下である場合、制御部は、記憶部から警告メッセージを読み出し、当該警告メッセージをスピーカから報音させることを特徴とする。
上記構成によれば、警告手段をスピーカとし、映像の明度が所定の閾値以下である場合、スピーカから警告メッセージを報音させるようにしているため、インターホン子機に警告専用の別途部材を設ける必要がなく、インターホン子機の小型化や構成の合理化を図ることができる。
【０００８】
また、上記目的を達成するために、本発明のうち請求項３に記載の発明は、来訪者が居住者を呼び出すための呼出手段を備えているとともに、呼出手段が操作された際に所定時間にわたって撮像動作するカメラを備えてなるインターホン子機と、インターホン子機と通話可能に接続され、カメラが撮像した映像を表示する表示部、及び映像を録画する録画部を備えたインターホン親機とからなるインターホン装置であって、インターホン子機又はインターホン親機に、映像の明度を測定する明度測定部と、所定時間の撮像動作中に映像の明度が所定の閾値以下になると、映像の明度が閾値を再び超えてから特定時間が経過するまでカメラによる撮像動作を継続させるとともに、当該特定時間の映像を録画部に録画する制御部とを設けたことを特徴とする。
上記構成によれば、インターホン子機又はインターホン親機に、映像の明度を測定する明度測定手段と、所定時間の撮像動作中に映像の明度が所定の閾値以下になると、映像の明度が閾値を再び超えてから特定時間が経過するまでカメラによる撮像動作を継続させる制御手段とを設けているため、たとえば不審者がカメラを手で覆った状態で呼出手段を操作した場合等に、当該事態を映像の明度によって検知するとともに、明度が所定の閾値を超えるまでに復帰した後の特定時間にわたる映像を録画部に録画することができる。したがって、たとえば不審者の立ち去る姿が映り込んだ映像等を撮像し録画することができ、防犯性の高いインターホン装置とすることができる。
【０００９】
さらに、上記目的を達成するために、本発明のうち請求項４に記載の発明は、来訪者が居住者を呼び出すための呼出手段を備えているとともに、常時周囲を撮像するカメラを備えてなるインターホン子機と、インターホン子機と通話可能に接続され、カメラが撮像した映像を表示する表示部を備えたインターホン親機とからなるインターホン装置であって、インターホン親機に、映像を所定時間にわたって一時記憶する一時記憶部と、映像を録画する録画部とを設けるとともに、インターホン子機又はインターホン親機に、映像の明度を測定する明度測定部と、映像の明度が所定の閾値以下になると、明度が所定の閾値以下になるまでの一時記憶部に記憶されている映像を録画部へ録画する制御部とを設けたことを特徴とする。
上記構成によれば、インターホン親機に、映像を所定時間にわたって一時記憶する一時記憶部と、映像を録画する録画部とを設けるとともに、インターホン子機又はインターホン親機に、映像の明度を測定する明度測定部と、映像の明度が所定の閾値以下になると、明度が所定の閾値以下になるまでの一時記憶部に記憶されている映像を録画部へ録画する制御部とを設けているため、たとえば不審者がカメラを手で覆った場合等に、当該事態を映像の明度によって検知するとともに、一時記憶部に一時記憶されている明度が所定の閾値以下となるまでの映像、すなわちカメラが覆われるまでの映像を録画部に録画することができる。したがって、たとえば不審者が近寄ってくる姿の映り込んだ映像等を録画することができ、防犯性の高いインターホン装置とすることができる。
【００１０】
請求項５に記載の発明は、請求項４に記載の発明において、インターホン子機における呼出手段の操作をうけて、明度測定部が映像の明度を測定し、制御部が測定された明度と閾値との比較を行うことを特徴とする。
上記構成によれば、インターホン子機における呼出手段の操作をうけて、明度測定部が映像の明度を測定し、制御部が測定された明度と閾値との比較を行うため、映像の明度測定や閾値との比較を常時行う必要がなく、明度測定部や制御部の負荷を軽減することができる。
【００１１】
請求項６に記載の発明は、請求項１〜５のいずれかに記載の発明において、カメラが超広角撮像可能なレンズを有しているとともに、インターホン親機に、映像に対する電子ズーム・電子パンチルト制御を実行する映像制御手段が設けられたインターホン装置であって、明度測定部は、電子ズーム・電子パンチルト制御が実行された場合であってもカメラが撮像した映像全体の明度を測定するとともに、制御部は、当該映像全体の明度にもとづいて動作することを特徴とする。
上記構成によれば、明度測定部は、電子ズーム・電子パンチルト制御が実行された場合であってもカメラが撮像した映像全体の明度を測定するとともに、制御部は、当該映像全体の明度にもとづいて動作するため、たとえば暗い場所をズームアップしたような場合に警告動作等を実行することがなく、使い勝手の向上を図ることができる。
【００１２】
請求項７に記載の発明は、請求項１〜６のいずれかに記載の発明において、インターホン親機が、呼出手段の操作をうけて当該操作を報知する報知手段を有し、呼出手段が操作された際、映像の明度が閾値以上である場合にのみ報知手段を動作させることを特徴とする。
上記構成によれば、呼出手段が操作された際、映像の明度が閾値以上である場合にのみ報知手段を動作させるため、たとえば訪問販売等を目的とした不審者がカメラを覆い隠し、自身を視認できないような状態で居住者を呼び出そうとする場合に、居住者が応答を促されたりしない。したがって、インターホン装置の使い勝手の向上を図ることができる。
【発明の効果】
【００１３】
本発明によれば、インターホン子機又はインターホン親機に、映像の明度を測定する明度測定部と、映像の明度が所定の閾値以下である場合に警告手段を動作させる制御部とを設けているため、たとえば不審者がカメラを手で覆った状態で呼出手段を操作した場合等に、当該事態を映像の明度によって検知するとともに、その事態に対して警告手段による警告を行うことができ、ひいてはインターホン装置の防犯性を向上することができる。
【発明を実施するための最良の形態】
【００１４】
以下、本発明の一実施形態となるインターホン装置について、図面をもとに説明する。
【００１５】
図１は、インターホン装置１を示した説明図であり、図２は、インターホン装置１のブロック構成図である。
インターホン装置１は、玄関等に設置され、来訪者が居住者を呼び出すためのインターホン子機２と、居室内に設置され、インターホン子機２からの呼び出しに応答するためのインターホン親機３とを通話可能に接続してなる。
【００１６】
インターホン子機２は、来訪者を撮像するためのカメラ４と、来訪者がインターホン親機３を呼び出すために操作する呼出ボタン５と、来訪者が居住者と通話するためのスピーカ６、マイク７、及び音声処理部８と、カメラ４が撮像した映像をインターホン親機３へ送信するための映像処理部９と、後述の如くしてカメラ４が覆い隠されていると判断された際にスピーカ６から報音される警告メッセージを記憶した記憶部１０と、インターホン子機２の各種動作を制御する子機ＣＰＵ１１と、映像信号や音声信号、制御信号等の各種信号をインターホン親機３との間で送受信するためのインターフェース１２とを備えている。
【００１７】
一方、インターホン親機３は、カメラ４が撮像した映像を表示するためのディスプレイ１５と、インターホン子機２からの呼び出しに応答するための通話ボタンを含む操作ボタン１６、１６・・と、居住者が来訪者と通話するためのスピーカ１７、マイク１８、及び音声処理部１９と、インターホン子機２から受信した映像信号をディスプレイ１５に表示可能とするための映像処理部２０と、映像の明度を測定するための明度測定部２１と、映像を録画するための録画部２２と、インターホン親機３の各種動作を制御する親機ＣＰＵ２３と、映像信号や音声信号、制御信号等の各種信号をインターホン子機２との間で送受信するためのインターフェース２４とを備えている。尚、ディスプレイ１５は、タッチパネル式の操作画面としても機能するようになっており、たとえばディスプレイ１５において映像を表示している場合に所定の表示領域が選択されると、当該表示領域を拡大して表示する電子ズーム・電子パンチルト制御を実行する。
【００１８】
ここで、インターホン装置１における呼出ボタン５が操作された際の動作について、図３をもとに説明する。図３は、呼び出し時におけるインターホン装置１の動作を示したフローチャート図である。
まず、来訪者により呼出ボタン５が操作される（Ｓ１）と、カメラ４がＯＮとなって該カメラ４による撮像が開始され（Ｓ２）、インターホン親機３へ映像が送信される。一方、インターホン親機３では、呼出ボタン５の操作に応じて、スピーカ１７等から報知音を報音し、インターホン子機２から受信した映像をディスプレイ１５に表示するとともに、呼出ボタン５が操作されてから所定の応答時間（たとえば、２０秒）が経過したか否かを判断する（Ｓ３）。
【００１９】
呼出ボタン５の操作当初は当然応答時間内である（Ｓ３における判断の結果、ＮＯである）ため、インターホン親機３は、Ｓ３に続いて、映像の明度を測定し、該明度が所定の閾値以下であるか否かを判断する（Ｓ４）。尚、明度を測定するに際しては、ディスプレイ１５に表示している映像（たとえば電子ズーム等により拡大表示された映像等）ではなく、カメラ４が撮像した映像全体、すなわちインターホン子機２から受信した映像全体における明度を測定する。
【００２０】
そして、明度が所定の閾値を超えている場合には、映像を親機ＣＰＵ２３内のＲＡＭ等の一時記憶部に一時的に記憶し（Ｓ７）、応答時間が経過する（Ｓ３における判断の結果がＹＥＳとなる）まで、当該制御を継続して実行する。また、１度も明度が所定の閾値以下となることなく応答時間が経過すると、後述する警告フラグのＯＮ／ＯＦＦを判断（Ｓ８においてＮＯと判断）した後、一時記憶部に一時記憶されている映像の一部（たとえば、撮像開始後１０秒間の映像）を録画部２２へ録画し（Ｓ９）、カメラ４をＯＦＦとして撮像動作を終了とする（Ｓ１４）。
【００２１】
一方、応答時間内にカメラ４が手で覆われる等した場合、映像の明度が所定の閾値以下となる。したがって、インターホン親機３は、当該事態を検知する（Ｓ４における判断の結果がＹＥＳとなる）と、インターホン子機２へ警告信号を送信する。そして、インターホン子機２では警告信号を受信すると、記憶部１０から警告メッセージ（たとえば「カメラの前に物を置かないでください」等）を読み出し、スピーカ６を介して読み出した警告メッセージを報音させる（Ｓ５）。また、インターホン親機３では、映像の明度が所定の閾値以下となった事態をうけると、親機ＣＰＵ２３内において警告フラグをＯＮとする（Ｓ６）。尚、インターホン子機２における警告メッセージの報音は、応答時間が経過する又は応答時間内において映像の明度が再び所定の閾値を超えるまで継続される。また、映像の明度が所定の閾値以下になった後も、映像の一時記憶は継続される（Ｓ７）。
【００２２】
このように、１度でも明度が所定の閾値以下となる、すなわち警告フラグがＯＮとされた状態で応答時間が経過すると、警告フラグのＯＮ／ＯＦＦを判断（Ｓ８においてＹＥＳと判断）した後、映像の明度が既に所定の閾値を超えるまでに復帰しているか否かを判断する（Ｓ１０）。そして、映像の明度が未だに所定の閾値以下である場合には、映像の明度が所定の閾値を超えるまでカメラ４による撮像を継続し、明度が所定の閾値を超えると、当該超えた時点から更に特定時間（たとえば５秒）にわたり撮像を継続する（Ｓ１１）。尚、Ｓ１１において撮像された映像も一時記憶部に一時記憶する。また、応答時間内に明度が所定の閾値を超えるまでに復帰しており、応答時間が経過して最初のＳ１０における判断で映像の明度が所定の閾値を超えていた場合にも、Ｓ１１における特定時間の撮像を実行する。
【００２３】
その後、一時記憶部に一時記憶されている映像のうち、特定時間の映像を含む明度が所定の閾値を超えている映像を録画部２２へ録画し（Ｓ１２）、警告フラグをＯＦＦとした（Ｓ１３）後、カメラ４をＯＦＦとして撮像動作を終了とする（Ｓ１４）。尚、一時記憶部に一時記憶されている映像は、映像の録画部２２への録画（Ｓ９又はＳ１２）をもってクリアされる。
【００２４】
以上のように構成されるインターホン装置１によれば、インターホン親機３にカメラ４が撮像した映像の明度を測定するための明度測定部２１を設け、カメラ４が手によって覆われる等した事態を、映像の明度が所定の閾値以下となったことをもって検知可能としており、当該事態を検知した場合には、インターホン子機２のスピーカ６を介して「カメラの前に物を置かないでください」等の警告メッセージを報音するようになっている。したがって、不審者がカメラ４を覆い隠して呼出操作をしたような場合に、当該不審者に対して警告することができ、ひいては防犯性の向上を図ることができる。
また、通話用に設けられているスピーカ６を用いて上記警告を行うため、スピーカ６に別途警告用の部材を設ける必要がなく、インターホン子機２の小型化や構成の合理化を図ることができる。
【００２５】
さらに、所定の応答時間内に１度でも映像の明度が所定の閾値以下となった場合、特に応答時間が経過する時点で映像の明度が未だに所定の閾値以下である場合には、映像の明度が閾値を超えてから特定時間が経過するまでカメラ４による撮像動作を継続し、当該特定時間の映像を録画部２２に録画する。したがって、たとえば不審者が立ち去る姿等を録画することができ、防犯性の更なる向上を図ることができる。
加えて、インターホン装置１によれば、明度測定部２１が、ディスプレイ１５に表示する映像ではなく、インターホン子機２から受信した映像全体の明度を測定する。したがって、電子ズーム・電子パンチルト機能により暗い場所をズームアップしてしまったような場合に、警告動作や応答時間を超えた撮像動作の継続等といった動作を実行することがなく、使い勝手の良いインターホン装置１とすることができる。
【００２６】
なお、本発明に係るインターホン装置は、上記実施形態に記載の態様に何ら限定されるものではなく、インターホン子機２やインターホン親機３の構成、及び明度が所定の閾値以下となった場合におけるインターホン子機２やインターホン親機３の動作に係る構成を、本発明の趣旨を逸脱しない範囲で、必要に応じて適宜変更することができる。
【００２７】
たとえば、上記インターホン装置１では、インターホン子機２での呼出操作に応じてカメラ４をＯＮとし、通常は所定の応答時間だけ撮像動作を行うように構成しているが、カメラ４では常時撮像を行っており、インターホン子機２での呼出操作を契機として一時記憶部への一時記憶及び映像の明度測定を行い、映像の明度の変化に応じて一時記憶部に記憶されている映像を種々の態様（たとえば、上記実施形態のインターホン装置１と同様の態様）で録画部２２へ録画するように構成することも可能である。
【００２８】
また、カメラ４により常時撮像するようにしたインターホン装置において、一時記憶部では常に所定時間（たとえば１分間）の映像をリアルタイムで更新・記憶しており、インターホン子機２における呼出操作を契機として行う明度測定において、明度が所定の閾値以下となった場合には、明度が所定の閾値以下となるまでの一定時間（たとえば１０秒間）の映像を一時記憶部から読み出し、録画部２２へ録画させるように構成してもよい。当該構成を採用することで、たとえば不審者がカメラ４を覆い隠してから呼出操作を行った場合でも、呼出操作以前の映像、すなわち不審者が映り込んだ映像を録画することができ、防犯性が非常に高い。尚、上述したようにインターホン子機における呼出操作を契機として明度測定を行ってもよいし、明度測定も撮像同様に常時行い、呼出操作されなくても明度が所定の閾値以下になると、それまでの映像を録画するように構成することも可能である。
【００２９】
さらに、カメラ４が覆い隠された状態で呼出操作が行われ、呼出操作時に既に映像の明度が所定の閾値以下であるような場合、実施形態に記載したような録画部２２への録画のみを行い、インターホン親機３による報知動作、すなわちインターホン子機２において呼出操作がなされたことを居住者に報知する動作（たとえば、報知音の報音やスピーカ１７をＯＮとする動作）については実行しないように構成することも可能である。当該構成を採用することで、訪問販売等を目的とした不審者が自身を視認できないような状態で居住者を呼び出そうとする場合に、居住者が応答を促されたりしない。したがって、インターホン装置１の使い勝手の向上を図ることができる。
【００３０】
また、明度が所定の閾値以下となった場合、特定時間に係る映像や閾値以下となるまでの映像を録画部２２へ録画する際、当該映像に「カメラが覆い隠されていました」等のメッセージをスーパーインポーズ等で付加してもよい。
さらに、通常動作において映像を録画する第１録画部と、明度が閾値以下となった場合における第２録画部とをそれぞれ別個に設けてもよい。尚、このように録画部を別個設ける際には、第２録画部を第１録画部よりも大容量とする方がよい。
さらにまた、上記実施形態のインターホン装置１では、明度が所定の閾値を超えるまで撮像動作を継続するように構成しているが、たとえば１分間以上にわたって所定の閾値を超えない場合には、撮像動作を終了するようにしてもよい。またさらに、上記実施形態のインターホン装置１では、応答時間の経過をもって警告メッセージの報音を終了するように構成しているが、応答時間を超えても明度が所定の閾値を超えるまでに復帰しない場合には、警告メッセージの報音を継続するように構成することも可能である。
加えて、上記実施形態のインターホン装置１では、映像の明度が所定の閾値以下となった場合に、警告メッセージの報音及び特定時間の撮像動作の継続の両者を行うように構成しているが、何れか一方のみを行うように構成しても何ら問題はないし、明度測定部２１をインターホン親機３ではなく、インターホン子機２に設けることも当然可能である。
【図面の簡単な説明】
【００３１】
【図１】インターホン装置を示した説明図である。
【図２】インターホン装置のブロック構成図である。
【図３】呼び出し時におけるインターホン装置の動作を示したフローチャート図である。
【符号の説明】
【００３２】
１・・インターホン装置、２・・インターホン子機、３・・インターホン親機、４・・カメラ、５・・呼出ボタン（呼出手段）、６・・スピーカ（警告手段）、１１・・子機ＣＰＵ、１５・・ディスプレイ（表示部）、１７・・スピーカ（報知手段）、２１・・明度測定部、２２・・録画部、２３・・親機ＣＰＵ（制御部、一時記憶部、映像制御手段）。
【図１】
2009239707.tif 000003
【図２】
2009239707.tif 000004
【図３】
2009239707.tif 000005